(57)【要約】【課題】ガイドワイヤーの張りを調整するのが非常に簡単で、ゲート開放時にガイドワイヤーを簡単に纏めることができ、しかもガイドワイヤーを邪魔にならないようにしておけるパネルゲートを提供する。【解決手段】支柱１ａ、１ｂ間に架け渡される支持梁２に沿って移動自在に吊り下げられた複数の懸吊体３…に、それぞれパネル４が屈曲自在に接続されたものとし、一方の支柱１ａの下部に位置するようにしたワイヤーリール５に、ガイドワイヤー６の一端を固定し、このガイドワイヤー６を前記支柱１ａの下端に位置するようにした掛体７に通すと共に各懸吊体３…の下端に設けた掛体８に通し、さらにもう一方の支柱１ｂの下端に位置するようにした掛体９に通し、前記ガイトワイヤー６の他端を、前記支柱１ｂの下部に位置するようにした支持体１０に引っ掛けたものとしている。【選択図】図１
2008069556.tif 000002
【特許請求の範囲】
【請求項１】
支柱（１ａ、１ｂ）間に架け渡される支持梁（２）に沿って移動自在に吊り下げられた複数の懸吊体（３…）に、それぞれパネル（４）が屈曲自在に接続されたものとし、一方の支柱（１ａ）の下部に位置するようにしたワイヤーリール（５）に、ガイドワイヤー（６）の一端を固定し、このガイドワイヤー（６）を前記支柱（１ａ）の下端に位置するようにした掛体（７）に通すと共に各懸吊体（３…）の下端に設けた掛体（８）に通し、さらにもう一方の支柱（１ｂ）の下端に位置するようにした掛体（９）に通し、前記ガイトワイヤー（６）の他端を、前記支柱（１ｂ）の下部に位置するようにした支持体（１０）に引っ掛けたことを特徴とするパネルゲート。
【請求項２】
前記ワイヤーリール（５）を、支持フレーム（１１）に支持されたリ−ル（１４）、このリ−ル（１４）を正逆回転させるハンドル（１５）、前記リール（１４）の間欠的な回転およびこの回転の正逆切替えおよび停止を行うラチャット機構を備えたものとしたことを特徴とする請求項１記載のパネルゲート。
【発明の詳細な説明】
【技術分野】
【０００１】
この発明は、例えば建築工事現場の出入口等に仮設されるパネルゲートに関するものである。
【背景技術】
【０００２】
従来、この種のパネルゲートとしては、例えば図５に示したように、支柱２１ａ、２１ｂ間に架け渡される支持梁２２に沿って移動自在に吊り下げられた複数の懸吊体２３…に、それぞれパネル２４が屈曲自在に接続されたものが存在する。
【０００３】
そして、この種のパネルゲートは、例えば図６（ａ）に示したように、一方の支柱２１ａの下部に設けたワイヤーフック２５に、ガイドワイヤー２６の一端を固定し、このガイドワイヤー２６を前記支柱２１ａの下端に設けた支持リング２７に通すと共に各懸吊体２３…の下端に設けた支持リング２８に通し、さらに図６（ｂ）に示したように、もう一方の支柱２１ｂの下端に設けた支持リング２９に通し、前記ガイトワイヤー２６の他端を、前記支柱２１ｂの下部に設けたワイヤーフック３０に引っ掛けたターンバックル３１に連結し、このターンバックル３１により前記ガイドワイヤー２６の張りを調整して、パネル２４が風に煽られたり、パネルゲートの閉鎖後に悪戯などで開放されたりしないようにしていた（非特許文献１）。
【０００４】
前記ターンバックル３１は、例えば図７に示したように、バックル胴３２の一端にフックボルト３３を螺合し、バックル胴３２の他端にオーフボルト３４を螺合したものとしている。また、前記ターンバックル３１は、図示していないが、バックル胴３２の両端にそれぞれフックボルト３３を螺合したものとしてもよい。
【０００５】
そこで、この種のパネルゲートにおいて、前記ガイドワイヤー２６の張りを調整するには、ターンバックル３１のバックル胴３２を正逆回転させることにより、フックボルト３３やオーフボルト３４との螺合の具合を調整することにより、ガイドワイヤー２６の張りを強めたり、弱めたりしている。
【０００６】
また、この種のパネルゲートは、開放時には前記ターンバックル３１に連結したガイドワイヤー２６の一端をこのターンバックル３１から外し、前記支柱２１ｂの下端に設けた支持リング２９からこのガイドワイヤー２６を抜き、さらに各懸吊体２３…の下端に設けた支持リング２８からガイドワイヤー２６を抜いて、このガイドワイヤー２６の他端を固定した側の支柱２１ａの下方に手繰り寄せて纏め、ガイドワイヤー２６が広がらないように紐で縛ったりしていた。
【非特許文献１】日本機電株式会社「仮設門扉、ＮＫパネルゲ−ト、建方指導書」〔平成１８年７月３日検索〕、インターネット＜ＵＲＬ：ｈｔｔｐ：／／ｗｗｗ．ｎ−ｋｉｄｅｎ．ｃｏ．ｊｐ／ｃｇｉ／ｈｔｍｌ／ｓｈｉｄｏｕ１．ｈｔｍｌ＞
【発明の開示】
【発明が解決しようとする課題】
【０００７】
しかしながら、上記従来のパネルゲートにおいて、ガイドワイヤー２６の張りを調整するには、ターンバックル３１のバックル胴３２を正逆回転させることにより行っているため、このバックル胴３２を正逆回転させるのに手間がかかり、ガイドワイヤー２６の張りを調整するのが非常に面倒であるという問題点を有していた。
【０００８】
さらに、上記従来のパネルゲートでは、ゲ−ト開放時にターンバックル３１から外したガイドワイヤー２６を手繰り寄せて纏め、ガイドワイヤー２６が広がらないように紐で縛ったりしているため、その作業に手間がかかると共に、その纏めて紐で縛ったりしたガイドワイヤー２６が支柱２の下方に放置されているため邪魔になるという問題点を有していた。
【０００９】
そこで、この発明は、上記従来の問題点を解決するものであり、ガイドワイヤーの張りを調整するのが非常に簡単で、ゲート開放時にガイドワイヤーを簡単に纏めることができ、しかもガイドワイヤーを邪魔にならないようにしておけるパネルゲートを提供することを目的としてなされたものである。
【課題を解決するための手段】
【００１０】
そのため、この発明のパネルゲートは、支柱１ａ、１ｂ間に架け渡される支持梁２に沿って移動自在に吊り下げられた複数の懸吊体３…に、それぞれパネル４が屈曲自在に接続されたものとし、一方の支柱１ａの下部に位置するようにしたワイヤーリール５に、ガイドワイヤー６の一端を固定し、このガイドワイヤー６を前記支柱１ａの下端に位置するようにした掛体７に通すと共に各懸吊体３…の下端に設けた掛体８に通し、さらにもう一方の支柱１ｂの下端に位置するようにした掛体９に通し、前記ガイトワイヤー６の他端を、前記支柱１ｂの下部に位置するようにした支持体１０に引っ掛けたものとしている。
【００１１】
そして、この発明のパネルゲートは、前記ワイヤーリール５を、支持フレーム１１に支持されたリ−ル１４、このリ−ル１４を正逆回転させるハンドル１５、前記リール１４の間欠的な回転およびこの回転の正逆切替えおよび停止を行うラチャット機構を備えたものとしている。
【発明の効果】
【００１２】
この発明のパネルゲートは、以上に述べたように構成されているので、ガイドワイヤーの張りを調整するのが非常に簡単で、ゲート開放時にもガイドワイヤーを簡単に纏めることができ、しかもガイドワイヤーを邪魔にならないようにしておけるものとなった。
【発明を実施するための最良の形態】
【００１３】
以下、この発明のパネルゲートの実施の形態を、図面に基づいて詳細に説明する。
【００１４】
この発明のパネルゲートは、図１に示したように、支柱１ａ、１ｂ間に架け渡される支持梁２に沿って移動自在に吊り下げられた複数の懸吊体３…に、それぞれパネル４が屈曲自在に接続されたものとしている。
【００１５】
そして、この発明のパネルゲートは、図２（ａ）に示したように、一方の支柱１ａの下部に位置するようにしたワイヤーリール５に、ガイドワイヤー６の一端を固定し、このガイドワイヤー６を前記支柱１ａの下端に位置するようにしたリングなどの掛体７に通すと共に各懸吊体３…の下端に設けたリングなどの掛体８に通し、さらに図２（ｂ）に示したように、もう一方の支柱１ｂの下端に位置するようにしたリングなどの掛体９に通し、前記ガイトワイヤー６の他端を、前記支柱１ｂの下部に位置するようにして設けたワイヤーフックなどの支持体１０に引っ掛けたものとしている。
【００１６】
前記ワイヤーリール５は、図３ａ、３ｂに示したように、略コ字状とした支持フレーム１１に複数個のクランプ１２を固着して、これらクランプ１２を、支柱１ａおよび支柱１ａに付設した縦枠体１３ａや横枠体１３ｂに固定したり、図４ａ、４ｂに示したように、略コ字状とした支持フレーム１１をボルト、ナットなどで支柱１ａに固定することにより、前記支柱１ａの下部に位置するようにしている。さらに、このワイヤーリール５は、前記支持フレーム１１、この支持フレーム１１に支持されたリ−ル１４、このリ−ル１４を正逆回転させるハンドル１５、前記リール１４の間欠的な回転およびこの回転の正逆切替えおよび停止を行うラチャット機構（図示せず）等を備えたものとしている。なお、図中の１６は、リ−ル１４からのガイドワイヤー６を、支柱１ａの下部に位置する掛体７に案内するためのリング状としたガイドである。
【００１７】
そこで、この発明のパネルゲートにおいて、ガイドワイヤー６がワイヤーリール５のリール１４に巻かれていく方向（通常は時計回り）にハンドル１５を回せば、弛んでいるガイドワイヤー６がこのリール１４に巻かれて張りを持った状態となり、ラチャット機構が働いてその張りを持った状態でリール１４が停止する。この張りを持った状態では、ガイドワイヤー６が揺れ難くなるので、ガイドワイヤー６を通した各懸吊体３…の下端が揺れ難くなり、その結果パネル４も揺れ難くなり、パネル４が風に煽られたり、パネルゲートの閉鎖後に悪戯などで開放されたりしないようになる。
【００１８】
さらに、この発明のパネルゲートにおいて、ガイトワイヤー６の他端を、支柱１ｂの下部に設けた支持体１０から外し、この支柱１ｂの下端に位置するようにした掛体９から抜き、さらに各懸吊体３…の下端に設けた掛体８から抜き、ガイドワイヤー６がワイヤーリール５のリール１４に巻かれていく方向（通常は時計回り）にハンドル１５を回せば、このガイドワイヤー６をワイヤーリール５のリール１４に巻き取ることができ、前記ガイドワイヤー６はこのリール１４に纏まった状態となるので、邪魔にならないものになる。なお、前記ガイドワイヤー６がリール１４に巻き取られた状態では、各懸吊体３…の下端を自由に動かせるものなり、各懸吊体３…が吊り下げられた支持梁２に沿って、これら各懸吊体３…を支柱１ａ、１ｂ側へ移動させれば、パネル３が屈曲状態となり、パネルゲートを開放させておくことができる。
【００１９】
また、この発明のパネルゲートにおいて、ゲートを開放した状態から前記各懸吊体３…を支柱１ａ、１ｂ側から中央側に移動させれば、パネル３が広がった状態となり、ゲートを閉鎖することができる。そして、ゲートを閉鎖した状態では、ガイドワイヤー６がワイヤーリール５のリール１４から繰り出されていく方向（通常は逆時計回り）にハンドル１５を回し、その繰り出されたガイドワイヤー６を支柱１ａの下端に位置するようにした掛体７に通すと共に各懸吊体３…の下端に設けた掛体８に通し、さらにもう一方の支柱１ｂの下端に位置するようにした掛体９に通し、前記ガイトワイヤー６の他端を、この支柱１ｂの下部に位置するようにした支持体１０に引っ掛けたものとする。この状態から、前記したようにガイドワイヤー６がワイヤーリール５のリール１４に巻かれていく方向にハンドル１５を回せば、弛んでいるガイドワイヤー６がこのリール１４に巻かれて張りを持った状態となり、ラチャット機構が働いてその張りを持った状態でリール１４が停止することになる。
【００２０】
したがって、この発明のパネルゲートは、ガイドワイヤー６の張りを調整するのが非常に簡単なものとなり、さらにゲート開放時にガイドワイヤー６を簡単に纏めることができ、しかもガイドワイヤー６を邪魔にならないようにしておけるものとなった。
【図面の簡単な説明】
【００２１】
【図１】この発明のパネルゲートの背面図である。
【図２】（ａ）は図１中の円で囲まれた部分Ａの拡大説明図、（ｂ）は図１中の円で囲まれた部分Ｂの拡大説明図である。
【図３ａ】この発明のパネルゲートのワイヤーリールを支柱および支柱に付設した枠体へ固定した状態を示す正面図である。
【図３ｂ】この発明のパネルゲートのワイヤーリールを支柱および支柱に付設した枠体へ固定した状態を示す平面図である。
【図４ａ】この発明のパネルゲートのワイヤーリールを支柱へ固定した状態を示す正面図である。
【図４ｂ】この発明のパネルゲートのワイヤーリールを支柱へ固定した状態を示す平面図である。
【図５】従来のパネルゲートの背面図である。
【図６】（ａ）は図５中の円で囲まれた部分Ｃの拡大説明図、（ｂ）は図５中の円で囲まれた部分Ｄの拡大説明図である。
【図７】従来のパネルゲートのターンバックルの支柱への設置状態を示す説明図である。
【符号の説明】
【００２２】
１ａ  支柱
１ｂ  支柱
２  支持梁
３  懸吊体
４  パネル
５  ワイヤーリール
６  ガイドワイヤー
７  掛体
８  掛体
９  掛体
１０  支持体
１１  支持フレーム
１４  リール
１５  ハンドル
【図１】
2008069556.tif 000003
【図２】
2008069556.tif 000004
【図３ａ】
2008069556.tif 000005
【図３ｂ】
2008069556.tif 000006
【図４ａ】
2008069556.tif 000007
【図４ｂ】
2008069556.tif 000008
【図５】
2008069556.tif 000009
【図６】
2008069556.tif 000010
【図７】
2008069556.tif 000011